(57)【特許請求の範囲】
【請求項１】
ホストサーバと、カラオケ楽曲の再生を行う演奏装置と、所定の入力手段及び表示手段とを有し、前記ホストサーバと通信網を介して通信を行うと共に前記演奏装置の制御を行うリモコン端末とからなり、前記リモコン端末によって前記ホストサーバを介した電子メールの送受信を行うカラオケシステムにおいて、
新着メールの表示又は非表示のいずれを選択するかをユーザに問い合わせる対話用メッセージを前記表示手段に表示すると共に、
前記入力手段が、新着メールの表示の選択を受け付けた場合には、前記表示手段に新着メールを含む所定件数の受信メール一覧を表示し、
前記入力手段が、新着メールの非表示の選択を受け付けた場合には、前記表示手段に新着メールを除いた所定件数の受信メール一覧を表示することを特徴とするカラオケシステム。
【請求項２】
前記対話用メッセージの表示を行わないように設定する設定手段を有することを特徴とする請求項１に記載のカラオケシステム。
【請求項３】
電子メールの送受信を行うためにログインする際の認証はパスワードにより行うことを特徴とする請求項１又は請求項２に記載のカラオケシステム。
【請求項４】
電子メールの送受信を行うためにログインする際の認証は指紋認証により行うことを特徴とする請求項１乃至請求項３のいずれかに記載のカラオケシステム。
【発明の詳細な説明】
【技術分野】
【０００１】
本発明は、インターネットなどの通信網に接続されて用いられると共に、ユーザがログインすることによって提供されるアカウントサービスを備えるカラオケシステムに関する。
【背景技術】
【０００２】
近年、カラオケシステムがインターネットなどの通信網に接続され用いられるようになったことに伴い、ユーザが自ら登録しておいたアカウントに、カラオケシステムで用いられるリモコン端末などからログインして、これまで歌った曲情報の履歴を参照したり、或いは、あらかじめ登録しておいた十八番の曲を素早く選曲したり、といったサービスが提供されるようになってきた。このようなカラオケシステムにおけるアカウント制導入に伴い、提供可能となったサービスの１つとして、電子メールサービスを挙げることができる。
【０００３】
例えば、特許文献１（特開２００７−１２２６２０号公報）には、会員情報データベースを管理する会員情報サーバー装置などを設けておき、宛先になっている会員がログインした際に、会員情報サーバーからこのメッセージが送信され、サブコンピュータの画面に表示されようにして、地理的に離れた店舗の利用者同士でも、通信システムのネットワークを利用して電子メールのやりとりを可能としたカラオケシステムが開示されている。
【特許文献１】特開２００７−１２２６２０号公報
【発明の開示】
【発明が解決しようとする課題】
【０００４】
カラオケシステムは、複数人数からなるグループで１つのカラオケルームを利用するという形態が多い。すなわち、カラオケシステムで提供される電子メールサービスにおいては、複数の人の前で電子メールを開封する、ということが行われるわけである。ところが、電子メールの内容によっては、あるグループのメンバー内ではその内容を共有してもよいが、それとは別のメンバーから構成される別のグループ内では当該内容を共有することができない、ということがある。
【０００５】
しかしながら、特許文献１記載のものによる電子メールサービスでは、カラオケルームなどに集っている人全員に電子メールを見られてしまう可能性がある、という問題があった。このような問題は、カラオケシステムにおける電子メールサービスでは、パーソナルコンピュータや携帯電話によるそれとは異なり、リモコン端末が共用にかかるものであり、このために個人宛の電子メールもその場にいる人に見られてしまう可能性が常にあるという特殊事情が存在することに起因するものである。
【課題を解決するための手段】
【０００６】
本発明は上記のような課題を解決するものであって、本発明の請求項１に係る発明は、ホストサーバと、カラオケ楽曲の再生を行う演奏装置と、所定の入力手段及び表示手段とを有し、前記ホストサーバと通信網を介して通信を行うと共に前記演奏装置の制御を行うリモコン端末とからなり、前記リモコン端末によって前記ホストサーバを介した電子メールの送受信を行うカラオケシステムにおいて、新着メールの表示又は非表示のいずれを選択するかをユーザに問い合わせる対話用メッセージを前記表示手段に表示すると共に、前記入力手段が、新着メールの表示の選択を受け付けた場合には、前記表示手段に新着メールを含む所定件数の受信メール一覧を表示し、前記入力手段が、新着メールの非表示の選択を受け付けた場合には、前記表示手段に新着メールを除いた所定件数の受信メール一覧を表示することを特徴とする。
【０００７】
また、本発明の請求項２に係る発明は、請求項１に記載のカラオケシステムにおいて、前記対話用メッセージの表示を行わないように設定する設定手段を有することを特徴とする。
【０００８】
また、本発明の請求項３に係る発明は、請求項１又は請求項２に記載のカラオケシステムにおいて、電子メールの送受信を行うためにログインする際の認証はパスワードにより行うことを特徴とする。
【０００９】
また、本発明の請求項４に係る発明は、請求項１乃至請求項３のいずれかに記載のカラオケシステムにおいて、電子メールの送受信を行うためにログインする際の認証は指紋認証により行うことを特徴とする。
【発明の効果】
【００１１】
本発明のカラオケシステムは、表示手段に新着メールの表示又は非表示のいずれを選択するかをユーザに問い合わせる対話用メッセージを出現させ、ユーザに選択させるものであり、電子メールの内容をグループのメンバーに見られたくないような場合には、ユーザは「非表示」を選択することで、それを回避することが可能となる。
【００１２】
カラオケシステムにおける電子メールサービスでは、パーソナルコンピュータや携帯電話によるそれとは異なり、その場にいる人に見られてしまう可能性が常にあるという特殊事情が存在するが、本発明のカラオケシステムによれば、このような事情について配慮したシステムを構築することが可能となる。
【発明を実施するための最良の形態】
【００１３】
以下、本発明の実施の形態を図面を参照しつつ説明する。図１は本発明の実施の形態に係るカラオケシステムの全体構成を示す図であり、図２は本発明の実施の形態に係るカラオケシステムの運用形態イメージを示す図である。
【００１４】
図１及び図２において、５０は通信網、６０はルータ、７０は無線ＬＡＮアクセスポイント、１００はホストサーバ、２００、２００'、２００''、２００'''、２００''''はリモコン端末、３００、３００'、３００''、３００'''はコマンダ、４００はアンプ、４０１はスピーカー、４０２はマイクロフォン、４５０はディスプレイをそれぞれ示している。
【００１５】
本発明のカラオケシステムは、インターネットなどの通信網５０を利用したものである。このようなカラオケシステムは、ホストサーバ１００と、カラオケ店等の各カラオケルームに設置されるコマンダ３００及びコマンダ３００に対応付けして設けられているリモコン端末２００とが、インターネットなどの通信網５０を介して通信可能に構成されることによって形成されている。なお、このコマンダは特許請求の範囲においては、「演奏装置」として表現されているものである。
【００１６】
コマンダ３００、３００'、３００''、３００'''は、カラオケ店舗などの各カラオケルーム（空間１、空間２、空間３、空間４・・・）のそれぞれに１台ずつ設置されることが想定されるものである。また、コマンダ３００、３００'、３００''、３００'''に対応する形で、各カラオケルームには、リモコン端末が設置されている。通常、コマンダ３００、３００'、３００''には、それぞれ１台ずつのリモコン端末２００、２００'、２００''が対応付けされているが、空間４におけるコマンダ３００'''のように、リモコン端末２
００'''、２００''''が複数台対応付けされるように設定することも可能である。
【００１７】
ホストサーバ１００側のルータ（不図示）とカラオケ店舗側のルータ６０との間でインターネットネットワーク上に形成されるＶＰＮ（ｖｉｒｔｕａｌ  ｐｒｉｖａｔｅ  ｎｅｔｗｏｒｋ）を介して、カラオケ店舗側のＬＡＮに接続されている。ルータ６０には、図示するように、コマンダ３００、３００'、３００''、３００'''が接続される。また、ルータ６０には、無線ＬＡＮアクセスポイント７０が接続されており、この無線ＬＡＮアクセスポイント７０とリモコン端末２００、２００'、２００''、２００'''、２００''''が無線ＬＡＮによって通信するようになっている。つまり、ホストサーバ１００と、コマンダ３００及びリモコン端末２００との間の通信は、通信網５０上のＶＰＮ及びカラオケ店舗の有線ＬＡＮ、無線ＬＡＮを介して行われることとなる。
【００１８】
コマンダ３００は、リモコン端末２００からの要求に応じて、有線ＬＡＮ、無線ＬＡＮを介して制御され得るようになっている。例えば、ユーザは、リモコン端末２００から歌いたい曲を要求すると、当該要求はＬＡＮ経由でコマンダ３００に送られ、コマンダ３００がカラオケ楽曲をスタートさせるようになっている。
【００１９】
カラオケシステムのホストサーバ１００は、カラオケ店舗などに設置されているコマンダ３００に対して楽曲データ、映像データやユーザへ提供するためのコンテンツデータ等を配信する。すなわち、ホストサーバ１００は、基本的なカラオケサービス用のホストサーバとして機能する。
【００２０】
また、ホストサーバ１００は、リモコン端末２００を介して、ＩＤ、パスワード、ＩＤに対応したニックネームなどを登録することによって、自らのアカウントを取得したユーザに対する種々のサービスを提供する機能を有している。ここで、アカウントとは、本発明のカラオケシステムが提供するサービスを利用するために付与された、特定対象者に限定された権利のことである。
【００２１】
このアカウントを取得したユーザ（以下、「アカウントユーザ」という）に対して、ホストサーバ１００は、アカウントユーザがこれまで歌ってきた曲の履歴を保持しておいたり、アカウントユーザが得意とする曲のリストを保持しておいたり、アカウントユーザがこれから歌いたいとして登録した曲のリストを保持しておいたり、アカウントユーザ間などの電子メールの送受信を行ったり、といったサービスを提供する。
【００２２】
本発明のカラオケシステムにおけるアカウントは、限定的な利用権とするために、特定の対象者を識別する必要があるが、本システムでは、パスワード又は指紋認証による方法が採用されている。しかしながら、アカウントの限定利用のための識別方法としては、このような方法によらず、他のバイオメトリック的手法を用いても構わない。
【００２３】
次に、本発明のカラオケシステムにおけるコマンダ３００についてより詳しく説明する。図３は本発明の実施の形態に係るカラオケシステムで用いられるコマンダ及びその周辺のブロック構成を示す図である。図３において、３０１はバス、３０２は中央演算部、３０３は記憶部、３０４は第４通信部、３０５は第３通信部、３０６は入力部、３０７は表示制御部、３１０は音源部、３３０はミキサ部、４００はアンプ、４０１はスピーカー、４０２はマイクロフォン、４５０はディスプレイをそれぞれ示している。
【００２４】
カラオケルームなどの空間に配されるコマンダ３００には、ＣＲＴやＴＦＴ等の映像表示装置であるディスプレイ４５０、音声増幅装置であるアンプ４００が接続されており、コマンダ３００からの制御出力によりディスプレイ４５０に歌詞映像と背景画像を表示し、歌詞映像の表示と同期させてカラオケ楽曲の再生信号をアンプ４００へ送出し、スピー
カー４０１から演奏音が得られるようにしている。そして、前記アンプ４００には、ミキサ部３３０を介してマイクロフォン４０２が接続されており、周知のようにカラオケシステムのユーザは、歌詞映像に合わせてこのマイクロフォン４０２から自身の発声を入力し、歌唱することになる。
【００２５】
図３は、このように構成されたコマンダ３００とその周辺の具体的構成を示すブロック図であり、バス３０１に接続された中央演算部３０２（ＣＰＵ）がコマンダシステム全体の制御を司る。
【００２６】
記憶部３０３には、ＲＯＭ、ＲＡＭ、ＨＤＤが用いられ、ＲＯＭには制御プログラムなどが格納され、ＲＡＭには制御処理の内容などの一時記憶が可能となるようにしている。ＨＤＤには、ホストサーバ１００から受信した楽曲データ、映像データやカラオケ演奏以外の機能を実行させるデータであるデータを一時記憶させる。
【００２７】
第４通信部３０４は、例えば赤外線通信が用いられ、リモコン端末２００から送られてくる赤外線コード信号を受信し、コマンドデータに復元してバス３０１へ転送する。リモコン端末２００からコマンダ３００に対する指令信号は、カラオケ店舗内のＬＡＮ経由にても送信することができるが、「演奏スタート」や「唄い直し」などの比較的単純な指令信号は、この赤外線通信による通信部を利用することができる。
【００２８】
第３通信部３０５は、周知の規格の有線ＬＡＮが用いられ、ホストサーバ１００からコマンダ３００に対する制御命令や、楽曲データ、映像データやファームウエアデータなどをホストサーバ１００からダウンロードするために利用される。また、第３通信部３０５は、コマンダ３００を、ＬＡＮを介して他のコマンダやその他の機器に接続するための接続器でもあり、コマンダ３００はそのようにＬＡＮ２４を介して接続されることで、他のコマンダや他の機器との間で情報の送受信が可能とされる。
【００２９】
入力部３０６は、コマンダ３００のフロントパネルに設けられた各種スイッチ機能であり、予約選曲、キーコントロール、歌唱プログラムなどカラオケ装置特有の機能をマニュアル設定が可能となるようにしている。表示制御部３０７は、カラオケ楽曲に伴う映像や、その他、コンテンツデータ、広告データなどの映像データをディスプレイ４５０により表示するための表示制御を行う。
【００３０】
音源部３１０は、ＭＩＤＩ（Ｍｕｓｉｃａｌ  Ｉｎｓｔｒｕｍｅｎｔ  Ｄｉｇｉｔａｌ
Ｉｎｔｅｒｆａｃｅ）規格に基づく楽曲データから演奏可能な楽音信号を形成する。
【００３１】
ミキサ部３３０は、音源部３１０が発声した複数の楽音信号とマイクロフォン４０２から入力される歌唱者の歌唱音声信号を適当なバランスでミキシングする。このミキサ部３３０でミキシングされた信号は、アンプ４００に出力される。
【００３２】
次に、本発明のカラオケシステムにおけるリモコン端末２００についてより詳しく説明する。図４は本発明の実施の形態に係るカラオケシステムで用いられるリモコン端末のブロック構成を示す図である。図４において、２０１はバス、２０２は中央演算部、２０３は記憶部、２０４はタッチパネル部、２０５は表示部、２０６は第１通信部、２０７は第２通信部、２０８は生体認証部をそれぞれ示している。
【００３３】
リモコン端末２００は、バス２０１に接続された中央演算部２０２（ＣＰＵ）がリモコン端末全体の制御を司る。
【００３４】
記憶部２０３には、ＲＯＭ、ＲＡＭ、不揮発性メモリが用いられ、ＲＯＭには制御プロ
グラムなどが格納され、ＲＡＭには制御処理の内容などの一時記憶が可能となるようにしている。
【００３５】
タッチパネル部２０４は、ユーザの指や図示しない備え付けのペン等による入力を行うものである。タッチパネル部２０４による入力を可能とするために、表示部２０５にはタッチパネル部２０４と連動した表示画像が表示されるようにプログラムされる。なお、本実施形態では、入力インターフェイス装置としてこのようなタッチパネル部２０４を用いる例について説明しているが、本発明はこれに限定されるものではない。
【００３６】
第１通信部２０６は、無線ＬＡＮアクセスポイント７０との間で無線ＬＡＮ規格（例えば、ＩＥＥＥ８０２．１１ａ／ｂ／ｇ規格など）に従った無線通信を行うための無線ＬＡＮ信部である。
【００３７】
第２通信部２０７は、例えば赤外線通信が用いられ、コマンダ３００における第４通信部３０４との通信を行うものであり、所定の赤外線コード信号をコマンダ３００に送出することが可能とされている。
【００３８】
生体認証部２０８は、ユーザの指紋を読み取り、生体識別コードに変換するものであり、これによりアカウントを有するユーザを識別するものである。
【００３９】
ところで、ユーザによってはアカウントへのログインのための認証方法として、指紋認証を好まないというような場合がある。そこで、本実施形態におけるカラオケシステムでは、生体認証部２０８の指紋による認証か、パスワードを使っての認証かをユーザが選択できるようになっている。
【００４０】
次に、本実施形態に係るカラオケシステムが提供するアカウントユーザ間の電子メールの送受信サービスについてより詳しく説明する。図５は本発明の実施の形態に係るカラオケシステムで提供される電子メールサービスの概念を示す図である。
【００４１】
なお、図５においては、カラオケ店舗Ｎ1乃至Ｎ3が通信網５０を介してホストサーバ１００側に接続される形態でシステムが運用されている場合を示している。また、カラオケ店舗Ｎ1乃至Ｎ3には、リモコン端末がそれぞれ４台、２台、３台設置されていることを想定している。このような店舗数やリモコン端末数は例示的なものであり、本発明がこれに限定されるわけではない。
【００４２】
また、図示していないが、各カラオケ店舗の下には、これまで説明したコマンダ３００が設置されるものである。また、図においてホストサーバ１００には、アカウントユーザに提供されるアカウントサービスのみに関連する構成が示されており、その他のカラオケシステムとして機能に関連する構成については図示省略されている。
【００４３】
図５において、１１０はメールサービス部、１１１は受信ボックス、１１２は送信ボックス、１１３はメール設定部、１２０は履歴情報設定部、１３０は登録曲設定部をそれぞれ示している。
【００４４】
ホストサーバ１００に登録したアカウントユーザは、例えば、ＩＤ＝００００００００００１乃至ＩＤ＝ＮＮＮＮＮＮＮＮＮＮＮのいずれかのユーザアカウントＩＤが付与され、そのようなＩＤの下で電子メールの送受信サービス、履歴情報の保存のサービスや、登録曲の保存のサービスを受けるようになっており、それぞれのサービスは、図中のメールサービス部１１０、履歴情報設定部１２０、登録曲設定部１３０が担うようになっている。本実施形態では、履歴情報設定部１２０、登録曲設定部１３０によるサービスについて
は詳述を避け、メールサービス部１１０が担う機能について説明する。
【００４５】
メールサービス部１１０は、カラオケシステムにおけるアカウントユーザ間のメールの送受信を担うものであり、メールサービス部１１０には、受信した電子メールを保存する受信ボックス１１１、送信した電子メールを保存する送信ボックス１１２、またアカウントユーザ個人毎の設定が保存されるメール設定部１１３が設けられている。
【００４６】
上記のようなカラオケシステムでは、カラオケ店舗Ｎ1のリモコン端末Ｍ1-1でアカウントにログインして作成されたＡＡＡＡさんの電子メールのメッセージは、メールサービス部１１０の機能によって、例えばＣＣＣＣさんが保有するアカウントに配信される。そして、後刻、カラオケ店舗Ｎ3のリモコン端末Ｍ3-3でアカウントにログインしたＣＣＣＣさんは、ＡＡＡＡさんからの電子メールのメッセージを受領し、参照することができる。
【００４７】
ここで、リモコン端末２００におけるタッチパネル部２０４を備えた表示部２０５によるユーザインターフェイス画面について説明する。図６及び図７は本発明の実施の形態に係るカラオケシステムで用いられるリモコン端末におけるタッチパネル部・表示部のユーザインターフェイス画面例を示す図である。
【００４８】
図６はリモコン端末２００におけるログイン前のユーザインターフェイス画面例である。ここで、ユーザは生体認証部２０８による指紋認証か、或いはパスワード入力による認証かを行うことによって、自分のアカウントにログインする。図７は、ニックネーム「かとう  たろう」さんが自らのアカウントにログインしたときの様子を示している。なお、アカウントに対する「ログイン」や「ログアウト」の概念は通常広く用いられているものと同様のものを用いることができる。
【００４９】
本実施形態に係るカラオケシステムで用いられるリモコン端末２００のユーザインターフェイス画面では、右側のカラムを中心として、アカウントに関わるメニュー表示がなされる。本ユーザインターフェイス画面例では、アカウントサービスの下では「マイメニュー」、「あなたへのオススメ」、「マイリスト」、「マイりれき」、「ログアウト」のいずれかを選択することができるようになっている。電子メールサービスに関連するサービスの選択は「マイメニュー」の下に存在するようになっている。
【００５０】
次に、本実施形態に係るカラオケシステムにおける個々のアカウント別の電子メールの設定について説明する。図８は本発明の実施の形態に係るカラオケシステムで用いられるリモコン端末におけるメール設定処理のフローチャートを示す図である。
【００５１】
図８に示されるフローチャートにおいて、ステップＳ１００で、メール設定の処理が開始されると、次に、ステップＳ１０１に進み、メール設定画面の表示が行われる。このようなメール設定画面への移行するためのユーザインターフェイス画面について説明する。図１０は本発明の実施の形態に係るカラオケシステムで用いられるリモコン端末におけるタッチパネル部・表示部のユーザインターフェイス画面例を示す図であり、ログイン後に「マイメニュー」にタッチしたときの状態を示している。
【００５２】
「マイメニュー」にタッチすると、図示するような対話用メッセージがポップアップ表示されるようになっている。この対話用メッセージにおいては、ユーザはメールを実際に行うための「メール」、当該アカウントにおけるメールをはじめとする種々の設定を行うための「登録・設定」、対話用メッセージを終了するための「閉じる」があり、ユーザはいずれかを選択することができるようになっている。ユーザが「登録・設定」を選択してタッチすることによって、次に図１１に示されるユーザインターフェイス画面が表示される。ここで、ユーザが「メール設定」を選択することによって、図１２に示すメールの設
定画面に移行する。ステップＳ１０１が想定している画面は、この図１２で示されるユーザインターフェイス画面である。当該画面において、ユーザは「新着メールを常に表示する」、「新着メールの表示・非表示を選択する」のいずれかの項目を選択して設定することができるようになっている。
【００５３】
カラオケシステムのアカウントサービスによる電子メールサービスでは、パーソナルコンピュータや携帯電話によるそれとは異なり、その場にいる人に見られてしまう可能性が存在する、という問題がある。そこで、本実施形態に係るカラオケシステムにおいては、ユーザが、新着メールを常に表示するか、或いは、必要に応じて表示するかを選択することができるようになっている。このような構成によって、ユーザによっては、必要なときにのみ新着メールのチェックすることができるようになる。
【００５４】
ステップＳ１０２では、図１２に示すユーザインターフェイス画面において「新着メールを常に表示する」が選択されたか否かが判定される。ステップＳ１０２の判定結果がＹＥＳであるときにはステップＳ１０３に進み、ステップＳ１０２の判定結果がＮＯであるときにはステップＳ１０５に進む。
【００５５】
ステップＳ１０３では、（メール設定）＝（新着メールを常に表示）としてセットし、続く、ステップＳ１０４で、ホストサーバ１００に対してこの（メール設定）に変更するよう要求を送信する。ホストサーバ１００側では、この要求に応じて、当該アカウントにおけるメール設定部１１３で（新着メールを常に表示）の設定を保存する。続く、ステップＳ１０６でメール設定の処理を終了する。ホストサーバ１００のメール設定部１１３における（新着メールを常に表示）の設定は、リモコン端末２００にも送信され、ユーザアカウントにおけるメールサービスに適用されるようになっている。
【００５６】
ステップＳ１０５では、（メール設定）＝（新着メールの表示・非表示を選択）としてセットし、続く、ステップＳ１０５で、ホストサーバ１００に対してこの（メール設定）に変更するよう要求を送信する。ホストサーバ１００側では、この要求に応じて、当該アカウントにおけるメール設定部１１３で（新着メールの表示・非表示を選択）の設定を保存する。続く、ステップＳ１０６でメール設定の処理を終了する。ホストサーバ１００のメール設定部１１３における（新着メールの表示・非表示を選択）の設定は、リモコン端末２００にも送信され、ユーザアカウントにおけるメールサービスに適用されるようになっている。
【００５７】
次に、以上のように設定されるアカウントサービスにおけるメールサービスのメール受信時の手順について説明する。図９は本発明の実施の形態に係るカラオケシステムで用いられるリモコン端末におけるメール受信処理のフローチャートを示す図である。
【００５８】
図９のフローチャートにおいて、ステップＳ２００でメール受信処理が開始されると、次にステップＳ２０１に進む。リモコン端末２００におけるメール受信処理の開始は、図１２に示すユーザインターフェイス画面で、ユーザが「メール」をタッチすることによって実行される。
【００５９】
ステップＳ２０１では、（メール設定）＝（新着メールを常に表示）であるか否かが判定される。ステップＳ２０１における判定結果がＹＥＳであるときにはステップＳ２０２に進み、ステップＳ２０１における判定結果がＮＯであるときにはステップＳ２０３に進む。
【００６０】
ステップＳ２０１の判定がＹＥＳであるときに進むステップＳ２０２では、新着メールを全て表示する。すなわち、ステップＳ２０２では、ホストサーバ１００側の受信ボック
ス１１１から最新の１０件を取得して表示部２０５で表示する。図１４はリモコン端末２００におけるタッチパネル部・表示部のユーザインターフェイス画面例を示す図であり、新着メールも含めた最新の１０件分のメールが表示されている例である。
【００６１】
ステップＳ２０１の判定がＮＯであるときに進むステップＳ２０３では、ユーザに対して選択画面が提示される。図１３はそのときに用いられるユーザインターフェイス画面である。このようなユーザインターフェイス画面においては、新着メールの表示を行うか、行わないかを選択可能とする対話用メッセージがポップアップ表示されるようになっている。ログインしているアカウントユーザが新着メールのチェックを希望する場合には、「表示」をタッチして新着メールの表示を行い、「非表示」行う。特許請求の範囲における、「新着メールの表示又は非表示のいずれを選択するかをユーザに問い合わせる対話用メッセージ」は、図１３に示される対話用メッセージのことである。
【００６２】
ステップＳ２０４では、アカウントユーザが「表示」、「非表示」のいずれを選択したかが判定される。
【００６３】
ステップＳ２０４で「表示」が選択されたときはステップＳ２０２に進み、リモコン端末２００において図１５に示すように、新着メールも含めた最新の１０件分のメールが表示されるようにする。ステップＳ２０６で処理を終了する。
【００６４】
ステップＳ２０４で「非表示」が選択されたときは、ステップＳ２０５に進み、新着メールについては表示を行わないようにする。すなわち、ステップＳ２０５では、ホストサーバ１００側の受信ボックス１１１から新着メールを除く最新の１０件を取得して表示部２０５に表示する。図１５はリモコン端末２００におけるタッチパネル部・表示部のユーザインターフェイス画面例を示す図であり、新着メールを除いた最新の１０件分のメールが表示されている例である。そして、ステップＳ２０６に進み、処理を終了する。
【００６５】
図１４や図１５に示されるユーザインターフェイス画面においては、「メッセージ表示」にタッチすることよってメールの内容を表示する画面に移行するし、また「削除」にタッチすることよってメールの削除を行うことができる。例えば、図１４或いは図１５に示されている２００８／４／１９付けの送信者「たざわだよ」に対応する「メッセージ表示」のボタンをタッチすると、図１６に示すようなユーザインターフェイス画面が表示され、アカウントユーザはメールの内容を読むことが可能となとなる。
【００６６】
以上、本発明のカラオケシステムは、表示部２０５に新着メールの表示又は非表示のいずれを選択するかをアカウントユーザに問い合わせる対話用メッセージを出現させ、アカウントユーザに選択させるものであり、電子メールの内容をグループのメンバーに見られたくないような場合には、アカウントユーザは「非表示」を選択することで、それを回避することが可能となる。
【００６７】
カラオケシステムにおける電子メールサービスでは、パーソナルコンピュータや携帯電話によるそれとは異なり、リモコン端末が共用にかかるものであり、このために個人宛の電子メールもその場にいる人に見られてしまう可能性が常にあるという特殊事情が存在するが、本発明のカラオケシステムによれば、このような事情について配慮したシステムを構築することが可能となる。
【００６８】
次に、本発明の他の実施形態について説明する。図１７は本発明の他の実施の形態に係るカラオケシステムの全体構成を示す図である。本実施形態においても、先の実施形態と同様にユーザアカウント制による電子メールサービスを行うものであるが、先の実施形態とは全体のシステム構成が異なっている。
【００６９】
先の実施形態においては、無線ＬＡＮアクセスポイント７０が採用され、リモコン端末２０は、このアクセスポイントを利用してＬＡＮ経由で、コマンダ３００に対する指令信号などを送出していが、本実施形態では、この無線ＬＡＮアクセスポイント７０が省略され、リモコン端末２００とコマンダ３００との信号のやりとりはＢｌｕｅｔｏｏｔｈ規格などの無線通信を用いるようにしている。
【００７０】
このような無線通信を用いると比較的大容量のデータ通信を無線によって行うことができるので、無線ＬＡＮアクセスポイント７０などの設置が不要となる。また、先の実施形態においては、リモコン端末２００とコマンダ３００と間の直接的な通信手段としては赤外線通信による通信部が用いられていたが、本実施形態では、先のようなＢｌｕｅｔｏｏｔｈ規格などの無線通信が採用されるため、リモコン端末２００及びコマンダ３００に赤外線通信による通信部を設ける必要がなくなり、ハードウエア的に簡略化することができる、というメリットがある。
【００７１】
なお、本明細書においては、種々の実施の形態について説明したが、それぞれの実施の形態の構成を適宜組み合わせて構成された実施形態も本発明の範疇となるものである。
【図面の簡単な説明】
【００７２】
【図１】本発明の実施の形態に係るカラオケシステムの全体構成を示す図である。
【図２】本発明の実施の形態に係るカラオケシステムの運用形態イメージを示す図である。
【図３】本発明の実施の形態に係るカラオケシステムで用いられるコマンダ及びその周辺のブロック構成を示す図である。
【図４】本発明の実施の形態に係るカラオケシステムで用いられるリモコン端末のブロック構成を示す図である。
【図５】本発明の実施の形態に係るカラオケシステムで提供される電子メールサービスの概念を示す図である。
【図６】本発明の実施の形態に係るカラオケシステムで用いられるリモコン端末におけるタッチパネル部・表示部のユーザインターフェイス画面例を示す図である。
【図７】本発明の実施の形態に係るカラオケシステムで用いられるリモコン端末におけるタッチパネル部・表示部のユーザインターフェイス画面例を示す図である。
【図８】本発明の実施の形態に係るカラオケシステムで用いられるリモコン端末におけるメール設定処理のフローチャートを示す図である。
【図９】本発明の実施の形態に係るカラオケシステムで用いられるリモコン端末におけるメール受信処理のフローチャートを示す図である。
【図１０】本発明の実施の形態に係るカラオケシステムで用いられるリモコン端末におけるタッチパネル部・表示部のユーザインターフェイス画面例を示す図である。
【図１１】本発明の実施の形態に係るカラオケシステムで用いられるリモコン端末におけるタッチパネル部・表示部のユーザインターフェイス画面例を示す図である。
【図１２】本発明の実施の形態に係るカラオケシステムで用いられるリモコン端末におけるタッチパネル部・表示部のユーザインターフェイス画面例を示す図である。
【図１３】本発明の実施の形態に係るカラオケシステムで用いられるリモコン端末におけるタッチパネル部・表示部のユーザインターフェイス画面例を示す図である。
【図１４】本発明の実施の形態に係るカラオケシステムで用いられるリモコン端末におけるタッチパネル部・表示部のユーザインターフェイス画面例を示す図である。
【図１５】本発明の実施の形態に係るカラオケシステムで用いられるリモコン端末におけるタッチパネル部・表示部のユーザインターフェイス画面例を示す図である。
【図１６】本発明の実施の形態に係るカラオケシステムで用いられるリモコン端末におけるタッチパネル部・表示部のユーザインターフェイス画面例を示す図である。
【図１７】本発明の他の実施の形態に係るカラオケシステムの全体構成を示す図である。
【符号の説明】
【００７３】
５０は通信網、６０・・・ルータ、７０・・・無線ＬＡＮアクセスポイント、１００・・・ホストサーバ、１１０はメールサービス部、１１１・・・受信ボックス、１１２・・・送信ボックス、１１３・・・メール設定部、１２０・・・履歴情報設定部、１３０・・・登録曲設定部、２００、２００'、２００''、２００'''、２００''''・・・リモコン端末、２０１・・・バス、２０２・・・中央演算部、２０３・・・記憶部、２０４・・・タッチパネル部、２０５・・・表示部、２０６・・・第１通信部、２０７・・・第２通信部、２０８・・・生体認証部、３００、３００'、３００''、３００'''・・・コマンダ、３０１・・・バス、３０２・・・中央演算部、３０３・・・記憶部、３０４・・・第４通信部、３０５・・・第３通信部、３０６・・・入力部、３０７・・・表示制御部、３１０・・・音源部、３３０・・・ミキサ部、４００・・・アンプ、４０１・・・スピーカー、４０２・・・マイクロフォン、４５０・・・ディスプレイ
【図１】
0005190941.tif 000002
【図２】
0005190941.tif 000003
【図３】
0005190941.tif 000004
【図４】
0005190941.tif 000005
【図５】
0005190941.tif 000006
【図６】
0005190941.tif 000007
【図７】
0005190941.tif 000008
【図８】
0005190941.tif 000009
【図９】
0005190941.tif 000010
【図１０】
0005190941.tif 000011
【図１１】
0005190941.tif 000012
【図１２】
0005190941.tif 000013
【図１３】
0005190941.tif 000014
【図１４】
0005190941.tif 000015
【図１５】
0005190941.tif 000016
【図１６】
0005190941.tif 000017
【図１７】
0005190941.tif 000018